(57)【要約】【課題】医用画像において患部に流入または流出する血管の視認性を向上させることが可能な医用画像処理装置を提供する。【解決手段】医用画像処理装置は、取得部と、同定部と、抽出部と、を備える。取得部は、被検体内における、塊部および当該塊部から派生する血管を含む３次元領域の状態を示すボリュームデータを取得する。同定部は、ボリュームデータにおける塊部に相当する部分の一部を同定する。また同定部は、当該同定した一部の位置から、派生する血管に相当する血管領域までを同定する。抽出部は、ボリュームデータから、同定した血管領域を抽出する。【選択図】図５
2014198099.tif 000002
【特許請求の範囲】
【請求項１】
被検体内における、塊部および該塊部から派生する血管を含む３次元領域の状態を示すボリュームデータを取得する取得部と、
前記ボリュームデータにおける前記塊部に相当する部分の一部を同定し、かつ該一部の位置から前記派生する血管に相当する血管領域までを同定する同定部と、
前記ボリュームデータから、同定した前記血管領域を抽出する抽出部と、を備える
ことを特徴とする医用画像処理装置。
【請求項２】
前記血管領域、または該血管領域および前記塊部を表示する表示部を備える
ことを特徴とする請求項１に記載の医用画像処理装置。
【請求項３】
前記ボリュームデータに基づき、前記塊部と前記派生する血管とを含む２次元画像を生成する画像処理部と、
前記２次元画像中の前記塊部に対する指定点を受ける指定部と、を備え、
前記同定部は、前記２次元画像および前記ボリュームデータの位置関係と、該ボリュームデータにおける前記指定点の位置とに基づき前記一部を同定する
ことを特徴とする請求項１に記載の医用画像処理装置。
【請求項４】
前記一部は、前記塊部の中心点として仮定された１以上のボクセルであり、
前記同定部は、
前記ボリュームデータにおける前記２次元画像の視線方向を取得し、さらに前記指定点を該視線方向に通過する軌跡を求め、
前記ボリュームデータにおける前記軌跡上の各ボクセルを、あらかじめ設定された値と対比することにより、該軌跡上において塊部または血管に相当する第１の部分と、塊部および血管のいずれにも相当しない第２の部分とを判別し、
前記軌跡上において、前記第１の部分に相当するボクセルが連続している部分の幅を求め、
求められた前記幅のうち、最も広い幅を前記塊部と判断し、該塊部の中間位置を前記一部として同定する
ことを特徴とする請求項３に記載の医用画像処理装置。
【請求項５】
前記同定部は、リージョングローイング法により前記ボリュームデータにおける塊部の前記一部にあたる位置から、該一部と同種の領域を拡大する処理を順次行う処理に基づき、前記塊部を示す塊部領域と、前記派生する血管に相当する血管領域とを同定する
ことを特徴とする請求項１に記載の医用画像処理装置。
【請求項６】
前記同定部は、
リージョングローイング法において段階的に所定範囲ごとに領域を拡張していき、
拡張した結果、前記所定範囲の一部の方向のみを拡張する段階になったと判断したことに応じ、その後は段階的に領域拡張処理を行うごとに、細線化処理を実行し、
前記細線化処理により、探索している血管領域に分岐があるかを判断し、
同定した血管領域において前記分岐があると判断した場合に領域拡張処理を終了する
ことを特徴とする請求項５に記載の医用画像処理装置。
【請求項７】
前記同定部は、
リージョングローイング法において閾値処理により前記塊部または血管に相当するボクセルを同定し、かつ
領域拡張処理において探索している周囲のボクセル値の変化に応じて前記閾値処理における閾値を変更すること、
を特徴とする請求項５または６に記載の医用画像処理装置。
【請求項８】
前記同定部は、
リージョングローイング法において、前記塊部または血管に相当するボクセルを同定するための閾値を記憶しており、
領域拡張処理において探索している周囲のボクセル値の変化を示す数値を求め、
前記閾値および前記変化を示す数値に基づいて前記塊部または血管に相当するボクセルを同定すること
を特徴とする請求項５または６に記載の医用画像処理装置。
【請求項９】
前記同定部は、
前記ボリュームデータにおける塊部の前記一部にあたる位置から、あらかじめ設定された距離まで領域を拡大する処理に基づき、前記塊部を示す塊部領域と、前記派生する血管に相当する血管領域とを同定する
ことを特徴とする請求項５に記載の医用画像処理装置。
【請求項１０】
前記同定部は、
リージョングローイング法において、所定時間が経過するまで領域を拡大する処理を継続する
ことを特徴とする請求項５に記載の医用画像処理装置。
【請求項１１】
前記同定部は、
リージョングローイング法において段階的に所定範囲ごとに領域を拡張していき、当該領域拡張処理を所定ステップ数実行するまで継続する
ことを特徴とする請求項５に記載の医用画像処理装置。
【請求項１２】
請求項９〜１１のいずれかに記載の医用画像処理装置であって、
前記抽出部により抽出された前記血管領域、または該血管領域および前記塊部を表示する表示部を備え、
前記同定部は、前記表示された前記血管領域に対する探索開始点と探索終了点の指定を受け、該探索開始点から該探索終了点まで血管領域の付加的な探索を行う
ことを特徴とする医用画像処理装置。
【請求項１３】
前記同定部は、ボクセル値に基づく閾値処理により、前記ボリュームデータにおける前記塊部と前記派生する血管とを含む注目領域を同定し、かつ
同定した前記注目領域に対し細線化処理を行なうことにより、前記血管領域を同定する
ことを特徴とする請求項１に記載の医用画像処理装置。
【請求項１４】
前記ボリュームデータにおける同定された前記血管領域以外のボクセルに、所定のボクセル値または所定の透明度を割り当てる画像処理部を備える
ことを特徴とする請求項１２に記載の医用画像処理装置。
【請求項１５】
前記塊部または該塊部から派生する血管を、その他の部分と異なる表示態様で前記表示部に表示させる表示制御部を備える
ことを特徴とする請求項２に記載の医用画像処理装置。
【請求項１６】
前記抽出部は、
前記ボリュームデータから前記塊部と、複数の前記血管領域とを抽出し、
前記抽出した前記塊部と前記複数の血管領域とを区別して抽出し、かつ該複数の血管領域それぞれを区別して抽出し、
前記表示制御部は、
抽出した前記塊部および前記血管領域それぞれのうち、少なくともいずれか１つの表示態様を変更する
ことを特徴とする請求項１５に記載の医用画像処理装置。
【請求項１７】
前記表示制御部により前記表示態様を変更する対象を選択する選択部を備える
ことを特徴とする請求項１６に記載の医用画像処理装置。
【請求項１８】
前記塊部から派生する血管に相当する前記血管領域それぞれと、該塊部とがなす離脱角度を求める角度算出部と、
離脱角度に対応する表示態様情報を記憶する記憶部と、を備え、
前記選択部は、求められた前記離脱角度に応じて前記記憶部から表示態様情報を読出して、前記表示制御部に送り、
前記表示制御部は、前記表示態様情報に基づいて前記離脱角度に対応する前記血管領域の表示態様を変更する、
ことを特徴とする請求項１７に記載の医用画像処理装置。
【請求項１９】
前記角度算出部は、前記派生する血管に相当する前記血管領域における前記塊部側の基部を特定し、かつ該基部に連なる塊部の一部と、該基部とがなす角度を前記離脱角度として求める
ことを特徴とする請求項１８に記載の医用画像処理装置。
【請求項２０】
前記角度算出部は、前記派生する血管に相当する前記血管領域における前記塊部側の始端と、該血管領域の終端を特定し、かつ該始端近傍の塊部の一部と、該始端と該終端を結ぶ線分とがなす角度を前記離脱角度
として求める
ことを特徴とする請求項１８に記載の医用画像処理装置。
【請求項２１】
前記同定部は、同定した前記血管領域と前記塊部との分岐をさらに同定し、
前記分岐と前記塊部との位置関係に基づいて前記血管領域それぞれの進行方向のベクトルを求めるベクトル算出部と、
前記ベクトルの向きそれぞれを対比することにより、該ベクトルの向きごとに、複数の前記血管領域を分類する対比部と、を備え、
前記表示制御部は、分類された前記血管領域ごとに表示態様を変更する
ことを特徴とする請求項１６に記載の医用画像処理装置。
【請求項２２】
前記表示制御部は、前記前記塊部および該塊部から派生する血管と、その他の部分とを、色または透明度のうち少なくともいずれかの表示態様を異ならせて前記表示部に表示させる
ことを特徴とする請求項１５〜２０のいずれかに記載の医用画像処理装置。
【請求項２３】
前記表示制御部は、前記塊部および該塊部から派生する血管の輪郭を抽出し、該輪郭を強調して表示させることにより、前記血管領域それぞれのうち、少なくともいずれか１つの表示態様を変更する
ことを特徴とする請求項１６に記載の医用画像処理装置。
【請求項２４】
前記角度算出部は、
いずれかの血管領域の離脱角度である第１の離脱角度と、他の血管領域の離脱角度である第２の離脱角度との差をさらに求め、
前記差が設定された範囲内である場合に、前記第１の離脱角度に該当する血管領域を前記塊部に対する流入血管として特定し、かつ前記他の血管領域を流出血管として特定する
ことを特徴とする請求項１８に記載の医用画像処理装置。
【請求項２５】
前記角度算出部により求められた各血管領域の離脱角度を対比することにより、実質的に逆方向へ向かう第１の血管領域および第２の血管領域とを特定し、さらに該第１の血管領域の離脱角度と、該第２の血管領域の離脱角度とに基づき、一方を流入血管として特定し、かつ他方を流出血管として特定する
ことを特徴とする請求項１８に記載の医用画像処理装置。
【請求項２６】
前記表示制御部は、前記流入血管と前記流出血管との色を異ならせて前記表示部に表示させる
ことを特徴とする請求項２４に記載の医用画像処理装置。
【請求項２７】
請求項１５〜２５のいずれかに記載の医用画像処理装置と、Ｘ線Ａｎｇｉｏ装置と、を含む医用画像処理システムであって、
前記医用画像処理装置は、表示態様が変更された血管領域を含む医用画像を、前記Ｘ線Ａｎｇｉｏ装置に送る送信部を有し、
前記Ｘ線Ａｎｇｉｏ装置は、経時的にＸ線透視画像を生成し、該Ｘ線透視画像と、前記医用画像処理装置から受けた前記医用画像とを合成して合成画像を生成する合成部と、該合成画像を表示する合成画像表示部とを有する
ことを特徴とする医用画像処理システム。
【請求項２８】
被検体をスキャンすることにより、該被検体内の塊部および該塊部から派生する血管を含む３次元領域の状態を示す情報を取得するスキャン部と、
前記情報に基づいてボリュームデータを生成するボリュームデータ生成部と、
前記ボリュームデータにおける前記塊部に相当する部分の一部を同定し、かつ該一部の位置から前記派生する血管に相当する血管領域までを同定する同定部と、
前記ボリュームデータから、同定した前記血管領域を抽出する抽出部と、
前記血管領域および前記塊部を表示する表示部と、を備える
ことを特徴とする医用画像診断装置。
【発明の詳細な説明】
【技術分野】
【０００１】
この発明の実施形態は医用画像処理装置、医用画像処理システム、医用画像診断装置に関する。
【背景技術】
【０００２】
Ｘ線診断装置などを使用した医用画像技術により、インターベンション治療（血管内治療）が行われている。例えば、Ｘ線診断装置により被検体の体内画像を生成して表示しながら、医師等によりインターベンション治療が行われる。
【０００３】
すなわち医師等は、表示された画像における血管を参照しながら、被検体に挿入されたカテーテルを被検体内の所定部位まで導く。動脈瘤の治療法の一つであるなどにおいて、医師は、例えば足の付け根等から挿入したカテーテルを、カテーテル内を通したガイドワイヤを用いて患部まで導く。さらに医師等は、画像を参照しながら、所定部位の塞栓を行う。例えば、カテーテルの先端からコイルのような閉塞物質を所定部位に留置する。なお、塞栓する対象の部位は、動脈瘤、ＡＶＭ（動静脈奇形；Ａｒｔｅｒｉｏｖｅｎｏｕｓ ｍａｌｆｏｒｍａｔｉｏｎ）への流入血管、または腫瘍への流入血管等である。
【０００４】
この塞栓術により流入血管への血流を妨害する。ＡＶＭの治療の場合、ナイダス（ｎｉｄｕｓ）に流入する血管を閉塞し、ナイダスへの血流が遮断されて、血液が流れる方向を適正化することが可能である。また、動脈瘤に対しては、コイルの留置により動脈瘤内で血液を凝固させて治療する。また、腫瘍の治療の場合、腫瘍へ流れる栄養血管に流入する血管を閉塞し、腫瘍への血流を遮断することが可能である。
【先行技術文献】
【特許文献】
【０００５】
【特許文献１】特開２０１０−１９４０４６号公報
【発明の概要】
【発明が解決しようとする課題】
【０００６】
上述の通り、医師は医用画像を参照しながら所定部位への流入血管を閉塞する塞栓術を行う。そのため、医師にとって流入血管およびその周辺領域を円滑に把握できることが望ましい。この点、医用画像診断装置において、当該医用画像において流入血管の部分の把握を容易にするための技術が提案されていた。
【０００７】
しかしながら、腫瘍への栄養血管、ＡＶＭへの流入血管、動脈瘤のネックあるいはドームからの流出血管等は、その形状が複雑であるため、同定することが困難である。したがって、医用画像診断装置において当該部分の血管の形状を画像の閲覧者に円滑に把握させるような医用画像を生成することは困難であった。
【０００８】
この実施形態は、医用画像において患部に流入または流出する血管の視認性を向上させることが可能な医用画像処理装置を提供することを目的とする。
【課題を解決するための手段】
【０００９】
医用画像処理装置は、取得部と、同定部と、抽出部と、を備える。取得部は、被検体内における、塊部および当該塊部から派生する血管を含む３次元領域の状態を示すボリュームデータを取得する。同定部は、ボリュームデータにおける塊部に相当する部分の一部を同定する。また同定部は、当該同定した一部の位置から、派生する血管に相当する血管領域までを同定する。抽出部は、ボリュームデータから、同定した血管領域を抽出する。
【図面の簡単な説明】
【００１０】
【図１】第１実施形態にかかる画像処理装置の概要を示す概略ブロック図。
【図２】ボリュームデータを概念的に示す概略図。
【図３】同定部による指定点に基づく中心点の同定を概念的に示す概略図。
【図４Ａ】同定部５による領域拡張を概念的に示す概略図。
【図４Ｂ】同定部５による領域拡張を概念的に示す概略図。
【図５】リージョングローイングステップ数と、全近傍ボクセル数に対する対象部位ボクセルの割合との対応関係の概略を示すグラフ。
【図６】第１実施形態の画像処理装置の動作の概要を示す概略フローチャート。
【図７】第１実施形態の画像処理装置の動作の概要を示す概略フローチャート。
【図８】第１実施形態の変形例４にかかる画像処理装置の動作の概要を示す概略フローチャート。
【図９】第１実施形態の変形例４にかかる画像処理装置の動作の概要を示す概略フローチャート。
【図１０】第２実施形態にかかる画像処理装置の概要を示す概略ブロック図。
【図１１】第２実施形態の医用画像処理装置の動作の概要を示す概略フローチャート。
【図１２】第２実施形態の医用画像処理装置の動作の概要を示す概略フローチャート。
【図１３】第３実施形態にかかる画像処理装置の概要を示す概略ブロック図。
【発明を実施するための形態】
【００１１】
図１〜図１３を参照して、第１実施形態〜第４実施形態にかかる医用画像処理装置または画像取得装置について説明する。
【００１２】
［第１実施形態］
（医用画像処理システム）
第１実施形態にかかる医用画像処理システムにつき、図１を参照して説明する。図１は、第１実施形態にかかる医用画像処理システムの概略構成を示すブロック図である。図１に示すように、医用画像処理システムは、画像処理装置１０、画像取得装置２０Ａ〜画像取得装置２０Ｃ…画像取得装置２０ｎおよび画像保管装置３０を含んで構成されている。これらの各装置はネットワークＮを介して相互にデータ通信が可能に接続されている。なお、図１においては一例として画像取得装置２０Ａ、画像取得装置２０Ｂ、画像取得装置２０Ｃおよび画像保管装置３０がネットワークに接続されているが、各装置の数は任意に設定することが可能である。
【００１３】
例えば、画像処理装置１０と複数の画像取得装置２０Ａ、画像取得装置２０Ｂ 、画像取得装置２０Ｃ…画像取得装置２０ｎは、ネットワークを介して、複数の断層像あるいはボリュームデータを送受信することが可能である。同様に画像保管装置３０は、画像取得装置２０Ａ、画像取得装置２０Ｂ、画像取得装置２０Ｃ…画像取得装置２０ｎにおいて生成された断層像あるいはボリュームデータを、付帯情報とともに記憶する。また、画像保管装置３０は、画像処理装置１０からの求めに応じて記憶しているボリュームデータ等を画像処理装置１０に送る。
【００１４】
なお、以下の例において、画像取得装置２０Ａ等は被検体の体内組織の情報の収集等を行う医用画像の画像取得装置として説明される。例えば、Ｘ線画像取得装置（Ｘ線Ａｎｇｉｏ装置）、Ｘ線ＣＴ画像取得装置、ＭＲＩ画像取得装置、超音波画像取得装置等である。
【００１５】
また、画像保管装置３０は、例えばＰＡＣＳ（Ｐｉｃｔｕｒｅ Ａｒｃｈｉｖｉｎｇ ａｎｄ Ｃｏｍｍｕｎｉｃａｔｉｏｎ Ｓｙｓｔｅｍ）によるものである。例えば画像保管装置３０は、画像データベースを有する画像管理装置である。画像管理装置はプログラムにより、画像データベースの医用画像データを管理する。他の例として画像保管装置３０はネットワークアタッチドストレージ（ＮＡＳ；Ｎｅｔｗｏｒｋ Ａｔｔａｃｈｅｄ Ｓｔｏｒａｇｅ）等の医用画像データを記憶するファイルサーバとしてもよい。
【００１６】
（画像処理装置の概要）
第１実施形態にかかる画像処理装置１０について、医用画像ワークステーションを一例として説明する。第１実施形態は、画像処理装置１０が医用画像にかかるボリュームデータを取得する。また、画像処理装置１０は、そのボリュームデータにおける、塊部および塊部から派生する血管を同定して抽出する。なお、第１実施形態の画像処理装置１０は、あらかじめ画像取得装置２０Ａ〜画像取得装置２０Ｃにより取得され、画像保管装置３０に保管されたボリュームデータを取得する構成である。ただし、画像処理装置の構成の他の例として、後述の第２実施形態のように、被検体の体内組織の情報の収集、再構成処理、ボリュームデータの生成を行うものであってもよい。
【００１７】
図１に示すように画像処理装置１０は、表示部Ｄ、操作部Ｃ、取得部１、画像処理部２、表示制御部３、指定部４、同定部５、抽出部６を含んで構成される。以下、画像処理装置１０における各部の構成について説明する。
【００１８】
（表示部）
表示部Ｄは、ＣＲＴ（Ｃａｔｈｏｄｅ Ｒａｙ Ｔｕｂｅ）ディスプレイや、ＬＣＤ（Ｌｉｑｕｉｄ Ｃｒｙｓｔａｌ Ｄｉｓｐｌａｙ）、有機ＥＬ（ＯＥＬＤ；Ｏｒｇａｎｉｃ Ｅｌｅｃｔｒｏ−Ｌｕｍｉｎｅｓｃｅｎｃｅ Ｄｉｓｐｌａｙ）または、ＦＥＤ（Ｆｉｅｌｄ Ｅｍｉｓｓｉｏｎ Ｄｉｓｐｌａｙ）等の任意の形態の表示デバイスによって構成される。表示部Ｄは、表示制御部３の制御を受けて各種の操作画面、設定画面や医用画像を表示する。
【００１９】
（操作部）
操作部Ｃは、キーボード、マウス、トラックボール、ジョイスティック、コントロールパネル等の任意の形態の操作デバイスや入力デバイスによって構成される。また、タッチパネル等、操作部Ｃの一部と表示部Ｄを同一のデバイスにより構成することも可能である。図示しない主制御部は、実施された操作に基づいて操作部Ｃが出力する操作信号を受けて、この操作内容に対応する上記各部制御の演算を実行する。
【００２０】
（取得部）
取得部１は、操作部Ｃからの操作信号を受け、画像保管装置３０に対するボリュームデータの取得要求を実行する。例えば画像処理装置１０において、ユーザが操作部Ｃを介して、患者ＩＤまたは検査ＩＤを入力してボリュームデータの取得要求にかかる操作を行うと、取得部１が操作に応じて画像保管装置３０に入力されたＩＤとともにボリュームデータの取得要求を行う。
【００２１】
画像保管装置３０は、当該取得要求にしたがって、ボリュームデータの検索を行う。さらに画像保管装置３０は、ＩＤ等応じたボリュームデータを読出し、画像処理装置１０に送る。取得部１は、画像保管装置３０から受けたボリュームデータを少なくとも一時的に記憶する。したがって、取得部１には、ＨＤＤ（Ｈａｒｄ Ｄｉｓｋ Ｄｒｉｖｅ）やＳＳＤ（Ｓｏｌｉｄ Ｓｔａｔｅ Ｄｒｉｖｅ）等、任意の記憶媒体が含まれる。なお、当該ボリュームデータを記憶するのは、他の記憶装置であってもよい。
【００２２】
また、後述する第２の同定処理、抽出処理等の各種処理後のボリュームデータは同定部５に記憶されるが、これに限らず取得部１が記憶してもよい。また、取得部１は、２次元画像処理におけるボリュームレンダリング画像を記憶してもよい。また、取得部１は、ボリュームデータに対する２次元画像処理（ボリュームレンダリング処理、サーフェスレンダリング処理等）の画像処理条件を記憶する。
【００２３】
（画像処理部）
画像処理部２は、操作部Ｃを介した画像処理操作により、ボリュームデータに対して２次元画像の生成にかかる画像処理を行う。例えば、ユーザがボリュームデータに基づくボリュームレンダリング（ＶＲ；Ｖｏｌｕｍｅ Ｒｅｎｄｅｒｉｎｇ）画像を生成する操作を行うと、画像処理部２は、当該操作にかかる指示を受ける。画像処理部２は当該指示を受け、表示制御部３を介してボリュームレンダリング処理にかかる各種パラメータを設定するための設定画面を表示部Ｄに表示させる。各種パラメータには、例えばボリュームレンダリング処理にかかる視線方向の設定情報が含まれる。また各種パラメータには、ボリュームデータにおける各ボクセルのボクセル値ごとの透明度の設定情報が含まれる。また、各種パラメータには、ボリュームレンダリング画像におけるＷＬ（Ｗｉｎｄｏｗ Ｌｅｖｅｌ）およびＷＷ（Ｗｉｎｄｏｗ Ｗｉｄｔｈ）の設定情報が含まれる。
【００２４】
上記設定画面において、ユーザが操作部Ｃを介して各種パラメータを設定すると、当該各種パラメータが画像処理部２に送られる。画像処理部２は、各種パラメータに基づき、例えばボリュームレンダリング画像を生成するための処理を実行する。例えば画像処理部２は、設定された視線方向にしたがって、ボリュームレンダリング処理における光源の位置と画像の投影方向を定める。また、画像処理部２は、設定された各ボクセルのボクセル値ごとの透明度にしたがって、各ボクセルの透明度を設定する。
【００２５】
このようにして画像処理部２は、ボリュームデータにボリュームレンダリング処理を施して２次元画像を生成する。なお、画像処理部２としては、ユーザが設定した各種パラメータに基づいてボリュームレンダリング画像を生成する構成に限られない。例えば画像処理部２は、少なくとも一部のパラメータとしてあらかじめ設定されたデータを用いてボリュームレンダリング画像を生成してもよい。なお、上記いずれかの処理によって生成される２次元画像には、例えば動脈瘤と動脈瘤からの流出血管、ＡＶＭ（動静脈奇形；Ａｒｔｅｒｉｏｖｅｎｏｕｓ ｍａｌｆｏｒｍａｔｉｏｎ）のナイダスとナイダスへの流入血管、または腫瘍と腫瘍への流入血管等の表面形状が含まれているものとする。
【００２６】
画像処理部２は、生成したボリュームレンダリング画像を表示制御部３に送る。また画像処理部２は、ボリュームレンダリング処理に用いた視線方向等のパラメータを、対象のボリュームデータと対応付けて記憶する。なお、上記において画像処理部２は、ボリュームレンダリング画像を生成する構成であるが、これに限られない。例えば画像処理部２は、サーフェスレンダリング画像、ＭＩＰ(Ｍａｘｉｍｕｍ Ｉｎｔｅｎｓｉｔｙ Ｐｒｏｊｅｃｔｉｏｎ)画像、ＭｉｎＩＰ（Ｍｉｎｉｍｕｍ Ｉｎｔｅｎｓｉｔｙ Ｐｒｏｊｅｃｔｉｏｎ）画像等を生成する構成であってもよい。
【００２７】
（表示制御部）
表示制御部３は、上記の通り画像処理部２により生成される２次元画像の生成にかかる各種パラメータの設定画面を生成し、表示部Ｄに表示させる制御を行う。また表示制御部３は、画像処理部２により生成されたボリュームレンダリング画像を表示部Ｄに表示させる制御を行う。また表示制御部３は、抽出された血管領域、または塊部領域および血管領域を含む医用画像を表示部Ｄに表示させる制御を行う。なお、血管領域等の抽出については後述する。また、表示制御部３は血管領域等の表示態様にかかる設定画面を表示部Ｄに表示させる制御を行う。なお、以下において表示部Ｄに表示される各画像については、表示制御部３を介して表示制御が行われる。ただし、特に記載しない限りにこの表示制御部３についての制御については説明を省略する。
【００２８】
表示制御部３は例えば、次に説明する指定点の指定操作を受け付け可能なボリュームレンダリング画像を表示部Ｄに表示させる制御を行う。なお本実施形態において、ボリュームレンダリング画像には、ＡＶＭにおけるナイダス、動脈瘤、腫瘍等の塊部が示されているものとして以下の説明を記載する。また、本実施形態においてボリュームレンダリング画像には、当該塊部に連なる血管、当該塊部から派生する血管等が示されているものとして以下の説明を記載する。また以下において、被検体内の組織のうち、ナイダス、動脈瘤または腫瘍等を示す塊部を、単に「塊部」と記載することがある。また、当該塊部に連なる血管または当該塊部から派生する血管について、単に「派生血管」と記載することがある。
【００２９】
さらに表示制御部３は、ボリュームレンダリング画像における塊部の一部、例えば画像における塊部を示す範囲のうちの一点を指定することを促す表示制御を行ってもよい。また、表示制御部３はボリュームレンダリング画像内に塊部を示す領域が含まれているかについて判断する構成であってもよい。
【００３０】
例えば表示制御部３は血管や塊部を示す画素値の範囲を記憶している。また表示制御部３は、塊部におけるその他の部位（骨等）に対する相対的大きさの情報を記憶している。表示制御部３は、記憶している情報に基づいてボリュームレンダリング画像における、塊部等を示す画素値を有するピクセルが占める範囲を求める。また。表示制御部３は、その範囲の大きさをピクセル数等に基づいて求める。表示制御部３は、記憶している塊部の大きさと求めた範囲の大きさとを対比し、塊部の大きさが記憶している大きさまで至らない場合には、表示部Ｄに表示されるボリュームレンダリング画像において、塊部が含まれていないことを示す警告等を表示させてもよい。
【００３１】
（指定部）
指定部４は、表示部Ｄにボリュームレンダリング画像が表示されているときに、操作部Ｃを介した指定点の指定操作があると、その操作を受け付ける。この指定点は、後述の同定部５による中心点の同定処理に用いられる。例えばユーザが操作部Ｃを介して、表示部Ｄに表示されたボリュームレンダリング画像に示された塊部の中心位置と思われる位置を指定すると、指定部４が画像中の指定された点に対応する座標を指定点として記憶する。さらにユーザにより当該指定点を確定する操作が実行されると、指定部４は指定点の座標情報を同定部５に送る。
【００３２】
なお、上記においては指定部４がユーザにより指定された画像中の位置を指定点として記憶する構成であるが、本実施形態はこれに限られない。例えば、上述のように表示制御部３が画像中の塊部等の範囲を特定する構成の場合、指定部４はその画像中の塊部を示す部分、またはその輪郭の座標を取得する。また指定部４は、表示制御部３から受けた輪郭を示す部分の情報に基づき、その中心点を求める。指定部４は求めた中心点を指定点として記憶する構成であってもよい。またこの構成において当該中心点をさらにユーザが操作部Ｃによって変更可能であってもよい。
【００３３】
（同定部）
次に、同定部について図１〜図５を参照して説明する。図２は、ボリュームデータを概念的に示す概略図である。また、図３は同定部５による指定点に基づく中心点の同定を概念的に示す概略図である。また、図４Ａおよび図４Ｂは、同定部５による領域拡張を概念的に示す概略図である、また図５は、リージョングローイングステップ数と、全近傍ボクセル数に対する対象部位ボクセルの割合との対応関係の概略を示すグラフである。以下においては、中心点の同定処理である第１の同定処理と、塊部および派生血管の同定処理である第２の同定処理とに分けて説明する。なお、以下に説明する中心点とは、実際の塊部の中心であってもよいが、必ずしも当該中心を示すものではない。すなわち本実施形態においては第１の同定処理において同定されたボリュームデータ内の点を説明の便宜上「中心点」として説明する。
【００３４】
（第１の同定処理）
図２を参照して第１の同定処理について説明する。同定部５は、指定部４からボリュームレンダリング画像における指定点の座標にかかる情報を受ける。それに応じて同定部５は、当該指定点の指定にかかるボリュームレンダリング画像を取得する。また同定部５は、そのボリュームレンダリング画像にかかるボリュームデータを取得部１から取得する。さらに同定部５は、取得部１に記憶されたボリュームデータに対する２次元画像処理（ボリュームレンダリング処理、サーフェスレンダリング処理等）の画像処理条件を取得する。
【００３５】
同定部５は、取得した画像処理条件と、ボリュームレンダリング画像およびボリュームデータそれぞれの座標等に基づき、ボリュームレンダリング画像およびボリュームデータとの対応関係を求める。すなわち同定部５は、ボリュームレンダリング画像の各ピクセルが、ボリュームデータにおけるどのボクセルに対応するかを求める。
【００３６】
次に、同定部５は、ボリュームレンダリング画像中の指定点の座標とボリュームデータのボクセルの座標との対応関係から、ボリュームデータにおける指定点の座標を求める。また同定部５は、取得部１から取得したボリュームレンダリング画像の画像処理条件から、ボリュームレンダリング処理を行ったときの、ボリュームデータに対する画像の視線方向（投影方向）を抽出する。なお、画像処理条件にボリュームレンダリング画像の視線方向の情報が含まれていない場合は、ボリュームレンダリング画像の表示内容と、ボリュームデータとの対応関係から同定部５により視線方向が求められる。
【００３７】
次に、同定部５はボリュームデータにおける指定点を視線方向に通る軌跡ＲＴを求める。この処理について図２および図３を参照して説明する。図２は、ボリュームデータを３次元的に示した概略図である。図３は図２のＺ軸方向に直交しＸ軸およびＹ軸方向に沿った断面を示している。すなわち、Ｙ軸方向に直交しＸ軸およびＺ軸方向に沿ったボリュームレンダリング画像に対して図２の断面は直交している。言い換えれば、ボリュームレンダリング画像を投影方向から見る方向（Ｙ方向）をボリュームデータの正面とすると、図３は、ボリュームデータを底面から上面、または上面から見た場合の概念図である。
【００３８】
図３に示すように、同定部５はボリュームデータＶＤにおいて指定点ＤＰを視線方向（図２の左右方向）に通る軌跡ＲＴを求める。次に同定部５は、軌跡ＲＴが通過するボクセルのボクセル値をそのボクセルの座標とともにそれぞれ抽出する。また同定部５は、あらかじめ記憶している所定のボクセル値の設定値を読み出す。この設定値とは、塊部を示すボクセル値および血管を示すボクセル値である。さらに、同定部５は読み出したボクセル値の設定値と、軌跡ＲＴが通過する各ボクセルのボクセル値とを対比する。この対比によって、同定部５は、軌跡ＲＴ上において塊部に相当する領域および血管に相当する領域と、それ以外の領域とを判別する。なお、設定値は所定の範囲を有していてもよい。また、「塊部に相当する領域および血管に相当する領域」は、「第１の部分」の一例に該当し、それ以外の領域は「第２の部分」の一例に該当する。また、上記設定値は「塊部または血管に相当するボクセルを同定するための閾値」の一例に該当する。また、この時点では血管に相当する領域が塊部からの派生血管であるかについては判別されていない。
【００３９】
対比の結果、同定部５は軌跡ＲＴが通過するボクセルのうち、設定値に対応するボクセル値を有するボクセルの座標を求める。さらに同定部５は、軌跡ＲＴ上において設定値に対応するボクセルが連続している部分の幅Ｌ１，Ｌ２，Ｌ３…Ｌｎを求める。同定部５は、求められた幅Ｌ１，Ｌ２，Ｌ３…Ｌｎのうち、最も広い幅を塊部と判断する。図２においては幅Ｌ１が最も広い幅である。さらに同定部５は、塊部と判断された最も広い幅Ｌ１の中間位置の座標を、Ｌ１の始端の座標と終端の座標とに基づいて求める（Ｌ１/２）。このような処理によって同定部５は、求めた中間位置を塊部の中心点として同定する。
【００４０】
なお、同定部５は求めた最も広い幅Ｌ１と、その他の塊部におけるその他の部位（骨等）に対する相対的な大きさを求めることにより、塊部の相対的な大きさが所定の値まで至らない場合には、再度指定点の入力を促す表示制御を表示制御部３に行わせてもよい。あるいは同定部５は塊部が含まれていないことを示す警告等を表示させてもよい。
【００４１】
（第２の同定処理）
次に、同定部５による塊部および派生血管の同定処理である第２の同定処理について図３、図４Ａ、図４Ｂおよび図５を参照して説明する。なお、第２の同定処理として、リージョングローイング法により塊部の領域を段階的に拡張して派生血管まで到達する例を説明する。また、リージョングローイングの１ステップにより領域拡張される範囲として、第１の同定処理において同定された中心点ＣＰを中心にＸ軸、Ｙ軸およびＺ軸に沿って前後２ボクセル拡張していく例について説明する。すなわち以下の説明において同定部５は、Ｘ軸で３ボクセル、Ｙ軸で３ボクセルおよびＺ軸で３ボクセルの３×３×３の２７ボクセルから、拡張する中心の１ボクセルを減算した近傍の２６ボクセルの領域拡張をする。
【００４２】
図４Ａは、リージョングローイングの第１ステップにおいて第１の同定処理において同定された中心点ＣＰを中心に２６近傍のボクセルを拡張する処理を概念的に示している。図４Ｂは上段において中心点ＣＰを含むＸ軸、Ｙ軸およびＺ軸ごとの拡張範囲を概念的に示している。さらに図４Ｂは下段において、リージョングローイングの全ステップ数ｎの半分のステップ数に到達した段階の塊部または派生血管と、それ以外の部分の比率を示している。なお、ここで説明したリージョングローイングの全ステップ数ｎとは、結果的に派生血管の同定が完了した時点のステップ数を示すものであって、あらかじめ設定されている必要はない。ただし、後述する変形例のようにあらかじめリージョングローイングの全ステップ数をあらかじめ設定する構成も含む。また、図４Ａおよび図４Ｂにおけるハッチング部分は塊部および派生血管のいずれかを示している。
【００４３】
第２の同定処理においても、同定部５は、第１の同定処理において読み出したボクセル値の設定値を用いる。つまり設定値は、塊部を示すボクセル値および血管を示すボクセル値である。リージョングローイングにおいて、同定部５は当該ボクセル値の設定値と、設定された２６近傍の各ボクセルのボクセル値とを対比する。リージョングローイングによる塊部領域および派生血管領域の同定の流れとしては次の通りである。
【００４４】
同定部５は、リージョングローイングにより、中心点ＣＰから上記対比により塊部に属する連結領域を順次取り込みながら領域拡張を行う。同定部５は、領域の連結性を、開始点である中心点ＣＰを中心として設定値の範囲内にあるか否かで判定する。
【００４５】
なお、同定部５は設定値と近傍ボクセルのボクセル値とを対比して領域拡張をするだけに限られない。例えば、同定部５は領域拡張条件である設定値を、領域拡張処理の過程における周囲のボクセルのボクセル値の変化の状態に応じて変更することが可能である。具体的な一例として、同定部５は領域拡張の処理（探索処理）の過程において周囲のボクセルのボクセル値の変化を示す数値を求める。さらに同定部５は、求めた変化を示す数値の状態に基づき、領域拡張条件である設定値を変更する。
【００４６】
＜塊部と派生血管との判別＞
次に、図４Ｂおよび図５を参照して、第２の同定処理における塊部と派生血管との判別について説明する。同定部５は、あらかじめ設定された領域拡張を行う範囲（２６近傍のボクセル等）のうち、ほとんどのボクセルが塊部領域または派生血管領域である場合には塊部の範囲を探索していると判断する。これに対し、同定部５が第２の同定処理により、一部の方向のみ拡張するようになったとき、派生血管領域を探索し始めたと判断する。これについて以下説明する。
【００４７】
同定部５は、全近傍ボクセル数に対する塊部領域および派生血管領域に相当するボクセル（血管レベルボクセル数等）の比率の閾値を、塊部と派生血管の境界値としてあらかじめ記憶している。上記のように第２の同定処理により、一部の方向のみ拡張するようになったときには、派生血管の領域に到達したものと判断することができる。この一部の方向のみを拡張しているかについて、同定部５は、全近傍ボクセル数に対する塊部領域または派生血管領域に相当するボクセルの比率が当該閾値以下になったかどうかで判断する。すなわち、同定部５は閾値以下になった場合、領域拡張において派生血管領域に到達したと判断する。なお、図５においては、全近傍ボクセル数に対する塊部領域または派生血管領域に相当するボクセルの比率「０．２３」が閾値として示されている。
【００４８】
すなわち、同定部５は、各リージョングローイングステップにおいて、全近傍ボクセル数に対する塊部領域または派生血管領域に相当するボクセルの比率を求める。また、同定部５は求めた比率と閾値とを対比する。同定部５は対比の結果、求めた比率が閾値以下となった場合、派生血管の領域に到達したものと判断する。
【００４９】
＜派生血管領域の拡張＞
次に、同定部５による派生血管領域の拡張処理について説明する。第２の同定処理において同定部５は、領域拡張の結果、血管領域に到達したものと判断すると、領域拡張を継続するとともに、派生血管に分岐があるかについて判断する。
【００５０】
例えば同定部５は、血管領域に到達したとの判断の後、あらかじめ設定されたリージョングローイングステップごとに細線化処理を行う。これによって、同定部５は、派生血管の細線化されたボクセルを派生血管の中心線（軸）として特定する。さらに同定部５は、領域拡張を継続した結果、その派生血管の中心線に分岐があるかについて判断する。分岐が生じた場合、同定部５はリージョングローイングによる派生血管領域の拡張処理を終了する。同定部５は、それまでに同定した塊部領域のボクセルの座標情報と、派生血管領域のボクセルの座標情報とを抽出部６に送り、ボリュームデータから同定した領域を抽出させる。
【００５１】
（抽出部）
抽出部６は、同定部５により同定された塊部のボクセルの座標情報と、派生血管のボクセルの座標情報とを受ける。抽出部６は受けた各座標情報に基づいてボリュームデータにおける塊部領域のボクセルに、塊部領域であることを示す第１領域情報を対応付ける。同様に抽出部６は、派生血管領域のボクセルに派生血管領域であることを示す第２領域情報を対応付ける。
【００５２】
抽出部６は上記処理が完了すると、同定部５に各種領域情報が対応付けられたボリュームデータを送る。同定部５は当該ボリュームデータを記憶する。
【００５３】
（画像処理部；表示態様の変更処理）
次に、画像処理部２による塊部領域または派生血管領域の表示態様の変更処理について説明する。抽出部６による上記処理が施されたボリュームデータに基づいて画像を表示する操作がなされた場合、画像処理部２は、当該ボリュームデータに対応付けられた第１領域情報の座標情報と第２領域情報の座標情報とに基づいて、塊部領域と派生血管領域とを特定する。画像処理部２は特定した各領域のボクセルに対し、あらかじめ設定された表示態様を割り当てる。
【００５４】
あらかじめ設定された表示態様とは、例えば表示色である。すなわち、画像処理部２は、抽出された塊部領域および派生血管領域をカラー表示（赤色等）で表示し、その他の部分をグレースケールで表示する。他の例としてあらかじめ設定された表示態様とは、透明度である。すなわち、画像処理部２は、抽出された塊部領域および派生血管領域を例えば透明度０％（不透明度１００％）で表示し、その他の部分を透明度８０％（不透明度２０％）で表示する。
【００５５】
また、表示態様の他の例として、画像処理部２は塊部および派生血管領域の輪郭を抽出し、それぞれの血管領域の色または透明度を他の部分と異ならせて表示させることも可能である。
【００５６】
（画像処理装置の動作）
次に、画像処理装置１０の動作について、図６および図７を参照して説明する。図６および図７は、第１実施形態にかかる画像処理装置１０の動作の概略を示すフローチャートである。
【００５７】
＜ステップ０１＞
取得部１は、操作部Ｃからの操作信号を受け、画像保管装置３０に対するボリュームデータの取得要求を実行する。その結果、取得部１は、画像保管装置３０から受けたボリュームデータを少なくとも一時的に記憶する。
【００５８】
＜ステップ０２＞
画像処理部２は、操作部Ｃを介した画像処理操作により、ボリュームデータに対して２次元画像の生成にかかる画像処理を行う。例えば、ユーザがボリュームデータに基づくボリュームレンダリング（ＶＲ）画像を生成する操作および視線方向等の各種パラメータ設定を行うと、画像処理部２は、当該操作に応じて設定された視線方向にしたがって、ボリュームレンダリング処理における光源の位置と画像の投影方向を定める。また、画像処理部２は、設定された各ボクセルのボクセル値ごとの透明度にしたがって、各ボクセルの透明度を設定する。このようにして画像処理部２は、ボリュームデータにボリュームレンダリング処理を施して２次元画像を生成する。
【００５９】
画像処理部２は、生成したボリュームレンダリング画像を表示制御部３に送る。表示制御部３は、画像処理部２により生成されたボリュームレンダリング画像を表示部Ｄに表示させる制御を行う。さらに表示制御部３は、ボリュームレンダリング画像における塊部の一部、例えば画像における塊部を示す範囲のうちの一点を指定することを促す表示制御を行ってもよい。また、表示制御部３はボリュームレンダリング画像内に塊部を示す領域が含まれているかについて判断する構成であってもよい。
【００６０】
＜ステップ０３＞
指定部４は、表示部Ｄにボリュームレンダリング画像が表示されているときに、操作部Ｃを介した指定点の指定操作を受け、指定点の確定操作がされたかについて判断する。指定操作がなされるまで（Ｓ０３；Ｎｏ）は、指定部４はこの判断を繰り返す。なお、指定部４が画像中の塊部を示す部分、またはその輪郭を求め、さらにその中心点を求めてもよい。またこの構成において当該中心点をさらにユーザが操作部Ｃによって変更可能であってもよい。
【００６１】
＜ステップ０４＞
Ｓ０３の判断の結果、指定部４により指定点の確定がされたと判断された場合（Ｓ０３；Ｙｅｓ）、指定部４は指定点の座標情報を同定部５に送る。同定部５は、当該指定点の指定にかかるボリュームレンダリング画像を取得する。また同定部５は、そのボリュームレンダリング画像にかかるボリュームデータを取得部１から取得する。さらに同定部５は、取得部１に記憶されたボリュームデータに対する２次元画像処理の画像処理条件を取得する。次に、同定部５は、取得した画像処理条件から、ボリュームデータに対する画像の視線方向（投影方向）を抽出する。
【００６２】
＜ステップ０５＞
次に、同定部５は、Ｓ０４において抽出した視線方向に基づき、ボリュームデータＶＤにおいて指定点ＤＰを視線方向（図２の左右方向）に通る軌跡ＲＴを求める。
【００６３】
＜ステップ０６＞
同定部５は読み出したボクセル値の設定値と、軌跡ＲＴが通過する各ボクセルのボクセル値とを対比する。この対比によって、同定部５は、軌跡ＲＴ上において塊部に相当する領域および血管に相当する領域と、それ以外の領域とを判別する。対比の結果、同定部５は軌跡ＲＴが通過するボクセルのうち、設定値に対応するボクセル値を有するボクセルの座標を求める。
【００６４】
＜ステップ０７＞
さらに同定部５は、軌跡ＲＴ上において設定値に対応するボクセルが連続している部分の幅Ｌ１，Ｌ２，Ｌ３…Ｌｎを求める。さらに同定部５は、求められた幅Ｌ１，Ｌ２，Ｌ３…Ｌｎのうち、最も広い幅を塊部と判断する。さらに同定部５は求めた最も広い幅Ｌ１と、その他の塊部におけるその他の部位（骨等）に対する相対的な大きさを求めることにより、塊部の相対的な大きさが所定の値に到達するか（所定の大きさを有するか）について判断する。判断の結果（Ｓ０３；Ｎｏ）、塊部の相対的な大きさが所定の値まで至らない場合には、再度指定点の入力を促す表示制御を表示制御部３に行わせ、Ｓ０３に戻る。
【００６５】
＜ステップ０８＞
Ｓ０７の判断の結果、最も広い幅Ｌ１が所定の大きさに到達すると判断された場合（Ｓ０７；Ｙｅｓ）、さらに同定部５は、広い幅Ｌ１の中間位置の座標を、Ｌ１の始端の座標と終端の座標とに基づいて求める（Ｌ１/２）。このような処理によって同定部５は、求めた中間位置を塊部の中心点ＣＰとして同定する。
【００６６】
＜ステップ０９＞
同定部５は、リージョングローイングにより、中心点ＣＰを開始点として、ボクセル値の設定値と、設定された２６近傍の各ボクセルのボクセル値とを対比する処理を段階的に行う。同定部５はこの対比により塊部に属する連結領域を順次取り込みながら領域拡張を行う。すなわち同定部５は、領域の連結性を、開始点である中心点ＣＰを中心として設定値の範囲内にあるか否かで判定する。
【００６７】
＜ステップ１０＞
同定部５は、領域拡張とともに、全近傍ボクセル数に対する塊部領域および派生血管領域に相当するボクセルの比率が記憶している閾値以下になったかどうかを判断する。すなわち、同定部５は領域拡張の方向が一部の方向のみになったと判断するまで（Ｓ１０；Ｎｏ）、領域拡張を繰り返す。
【００６８】
＜ステップ１１＞
Ｓ１０の判断の結果、同定部５は領域拡張の方向が一部の方向のみになったと判断した場合（Ｓ１０；Ｙｅｓ）、同定部５は細線化処理により、拡張方向に延びる派生血管領域の中心線を求める。
【００６９】
＜ステップ１２＞
同定部５は、Ｓ１１で求めた中心線に分岐があるかについて判断する。
【００７０】
＜ステップ１３＞
同定部５は、Ｓ１１で求めた中心線に分岐がないと判断した場合（Ｓ１２；Ｎｏ）、同定部５は派生血管領域の領域拡張および細線化処理を継続する。この点はＳ０９およびＳ１１と同様の処理となる。
【００７１】
＜ステップ１４＞
同定部５は、Ｓ１２で求めた中心線に分岐があるかについて判断する。判断の結果、分岐がないと判断した場合、同定部５はＳ１３〜Ｓ１４の処理を繰り返す。
【００７２】
Ｓ１２またはＳ１４の判断の結果、分岐があると判断した場合（Ｓ１２；Ｙｅｓ/Ｓ１４；Ｙｅｓ）、同定部５は第２の同定処理として派生血管の領域拡張および細線化処理を終了し、第２の同定処理を終了する。
【００７３】
抽出部６は、抽出部６は受けた各座標情報に基づいてボリュームデータにおける対応するボクセルに、第１領域情報（塊部領域）および第２領域情報（派生血管領域）を対応付ける。さらに抽出部６は、同定部５に各種領域情報が対応付けられたボリュームデータを送る。同定部５は当該ボリュームデータを記憶する。
【００７４】
抽出部６による上記処理が施されたボリュームデータに基づいて画像を表示する操作がなされた場合、画像処理部２は、当該ボリュームデータに対応付けられた第１領域情報の座標情報と第２領域情報の座標情報とに基づいて、塊部領域と派生血管領域とを特定する。画像処理部２は特定した各領域のボクセルに対し、あらかじめ設定された表示態様を割り当てる。
【００７５】
（作用・効果）
以上説明した第１実施形態にかかる画像処理装置１０の作用および効果について説明する。
【００７６】
本実施形態にかかる画像処理装置１０は、塊部および塊部から派生する血管を含むボリュームデータを取得する。また、画像処理装置１０はボリュームデータからボリュームレンダリング画像を生成する。また画像処理装置１０はボリュームレンダリング画像の指定点の入力を受ける。また、画像処理装置１０はボリュームレンダリング画像の指定点に基づき、ボリュームデータにおける塊部の中心点と仮定されるボクセル（またはボクセル群）を同定する。また画像処理装置１０は、当該中心点を開始点として領域拡張し、派生血管領域までを同定する。また、画像処理装置１０は、ボリュームデータにおける同定したボクセルに対し、塊部および派生血管であることを示す情報を対応付ける。
【００７７】
このような構成によれば、腫瘍への栄養血管、ＡＶＭへの流入血管、動脈瘤のネックあるいはドームからの流出血管等のように、その形状が複雑な対象であっても、ボリュームデータにおいて同定することが可能である。したがって、画像処理装置１０は、医用画像において同定した塊部および派生血管を示すことができ、これら対象物の視認性を向上させることが可能である。
【００７８】
（変形例１）
上記第１実施形態によれば、第２の同定処理において領域拡張の結果、派生血管領域に到達した後は、リージョングローイングの所定ステップ数毎に細線化処理を行って、分岐があるか否かを判断する構成である。しかしながら本実施形態はこのような構成に限られない。例えば、同定部５は派生血管領域に到達するかの判断をせず、中心点ＣＰからあらかじめ設定された所定距離だけ領域拡張を行うことにより、領域拡張処理を終了する構成であってもよい。なお、この所定距離はあらかじめ記憶されているものとする。
【００７９】
領域拡張の終了タイミングという意味において、上記変形例１においても塊部および派生血管の同定を行うことが可能である。被検体の検査部位の大きさや統計上、塊部の中心点ＣＰから派生血管までの距離をあらかじめ設定しておくことが可能であるためである。なお、所定距離でなく、所定ステップ数だけ領域拡張を実施することも可能である。塊部の中心点ＣＰから派生血管までの距離が想定できるのであれば、派生血管まで到達するステップ数も想定可能であるためである。
【００８０】
したがって、このような構成において、形状が複雑な対象であっても、ボリュームデータにおいて同定することが可能である。したがって、画像処理装置１０は、医用画像において同定した塊部および派生血管を示すことができ、これら対象物の視認性を向上させることが可能である。また、この構成においてはリージョングローイングの所定ステップ数毎に細線化処理を行う処理を省略することが可能である。また、全近傍ボクセル数と塊部等として同定されたボクセル数との比率の算出を省略することが可能である。また設定値との対比も省略可能である。
【００８１】
（変形例２）
変形例１と同様に、例えば、同定部５は派生血管領域に到達するかの判断をせず、中心点ＣＰからあらかじめ設定された所定時間だけ領域拡張を行うことにより、領域拡張処理を終了する構成であってもよい。なお、この所定時間はあらかじめ記憶されているものとする。なお、この構成において、同定部５は、第２の同定処理を開始する時に計時手段からの時間情報を取得する。同定部５はこの時間情報とあらかじめ記憶された所定時間の情報とを対比し、所定時間に到達したときに領域拡張処理を終了する。
【００８２】
領域拡張の終了タイミングという意味において、上記変形例２においても塊部および派生血管の同定を行うことが可能である。被検体の検査部位の大きさや統計上、塊部の中心点ＣＰから派生血管までの距離があらかじめ想定できるため、領域拡張処理の１ステップあたりの時間と到達するまでのステップ数を想定することで、終了タイミングを設定ことが可能であるためである。
【００８３】
したがって、このような構成においても、形状が複雑な対象であっても、ボリュームデータにおいて同定することが可能である。したがって、画像処理装置１０は、医用画像において同定した塊部および派生血管を示すことができ、これら対象物の視認性を向上させることが可能である。また、この構成においてはリージョングローイングの所定ステップ数毎に細線化処理を行う処理を省略することが可能である。また、全近傍ボクセル数と塊部等として同定されたボクセル数との比率の算出を省略することが可能である。また設定値との対比も省略可能である。
【００８４】
（変形例３）
また、上記変形例１または２において領域拡張処理が終了した後、そこまで同定された範囲をボリュームレンダリング画像等で表示し、その後、ユーザの指定により探索を追加する構成とすることも可能である。すなわち、画像処理装置１０は、変形例１または２において同定された範囲をボリュームレンダリング画像で表示し、さらに領域拡張する範囲を操作部Ｃを介して入力させる画面を表示部Ｄに表示する。ユーザは、領域拡張する範囲として追加の領域拡張の開始点（始端）と終了点（終端）とを操作部Ｃにより入力する。指定部４は入力に応じた開始点と終了点の座標を特定し、同定部５に送る。また同定部５は、ボリュームデータにおける当該開始点と終了点を特定する。さらに同定部５は特定した開始点から領域拡張を開始し、終了点まで到達したときに領域拡張処理を終了する。この追加の領域拡張処理は、「付加的な探索」の一例に該当する。また、領域拡張の開始点（始端）と終了点（終端）とは、それぞれ、「探索開始点」と「探索終了点」との一例に該当する。
【００８５】
このような構成においては、形状が複雑な対象であっても、ボリュームデータにおいて同定することが可能である。したがって、画像処理装置１０は、医用画像において同定した塊部および派生血管を示すことができ、これら対象物の視認性を向上させることが可能である。また、この構成においてはリージョングローイングの所定ステップ数毎に細線化処理を行う処理を省略することが可能である。また、全近傍ボクセル数と塊部等として同定されたボクセル数との比率の算出を省略することが可能である。また設定値との対比も省略可能である。
【００８６】
また、変形例１および２による派生血管の同定の結果、追加で領域拡張が必要な場合であっても、変形例３の場合は、ユーザが容易に領域拡張を追加して画像処理装置１０に実行させることが可能である。
【００８７】
（変形例４）
この変形例においては、リージョングローイング法による領域拡張を行わず、第１の同定処理により、塊部の中心点ＣＰを同定した後、閾値処理および細線化処理によって派生血管を同定する。この変形例４の動作について図８および図９を参照して説明する。図８および図９は、第１実施形態の変形例４にかかる画像処理装置１０の動作の概略を示すフローチャートである。
【００８８】
＜ステップ１０１＞
取得部１は、操作部Ｃからの操作信号を受け、画像保管装置３０に対するボリュームデータの取得要求を実行する。その結果、取得部１は、画像保管装置３０から受けたボリュームデータを少なくとも一時的に記憶する。
【００８９】
＜ステップ１０２＞
画像処理部２は、操作部Ｃを介した画像処理操作により、ボリュームデータに対して２次元画像の生成にかかる画像処理を行う。例えば、ユーザにより設定された視線方向等の各種パラメータに基づき、画像処理部２は、ボリュームデータにボリュームレンダリング処理を施して２次元画像を生成する。表示制御部３は、画像処理部２により生成されたボリュームレンダリング画像を表示部Ｄに表示させる。
【００９０】
＜ステップ１０３＞
指定部４は、指定点の確定操作がされたかについて判断する。指定操作がなされるまで（Ｓ１０３；Ｎｏ）は、指定部４はこの判断を繰り返す。
【００９１】
＜ステップ１０４＞
Ｓ１０３の判断の結果、指定部４により指定点の確定がされたと判断された場合（Ｓ１０３；Ｙｅｓ）、指定部４は指定点の座標情報を同定部５に送る。同定部５は、そのボリュームレンダリング画像にかかるボリュームデータおよび２次元画像処理の画像処理条件を取得する。次に、同定部５は、取得した画像処理条件から、ボリュームデータに対する画像の視線方向（投影方向）を抽出する。
【００９２】
＜ステップ１０５＞
次に、同定部５は、Ｓ０４において抽出した視線方向に基づき、ボリュームデータＶＤにおいて指定点ＤＰを視線方向に通る軌跡ＲＴを求める。
【００９３】
＜ステップ１０６＞
同定部５は設定値と、軌跡ＲＴが通過する各ボクセルのボクセル値とを対比することによって、塊部に相当する領域および血管に相当する領域と、それ以外の領域とを判別する。対比の結果、同定部５は軌跡ＲＴが通過するボクセルのうち、設定値に対応するボクセル値を有するボクセルの座標を求める。
【００９４】
＜ステップ１０７＞
さらに同定部５は、軌跡ＲＴ上における塊部等に該当する連続したボクセルの幅Ｌ１，Ｌ２，Ｌ３…Ｌｎを求め、最も広い幅を特定する。さらに同定部５は最も広い幅Ｌ１と、その他の塊部におけるその他の部位（骨等）に対する相対的な大きさを求めることにより、塊部の相対的な大きさが所定の値に到達するかについて判断する。判断の結果（Ｓ１０３；Ｎｏ）、塊部の相対的な大きさが所定の値まで至らない場合には、再度指定点の入力を促す表示制御を表示制御部３に行わせ、Ｓ１０３に戻る。
【００９５】
＜ステップ１０８＞
Ｓ０７の判断の結果、最も広い幅Ｌ１が所定の大きさに到達すると判断された場合（Ｓ１０７；Ｙｅｓ）、さらに同定部５は、広い幅Ｌ１の中間位置の座標を、Ｌ１の始端の座標と終端の座標とに基づいて求める（Ｌ１/２）。このような処理によって同定部５は、求めた中間位置を塊部の中心点ＣＰとして同定する。
【００９６】
＜ステップ１０９＞
同定部５は、あらかじめ塊部と血管とを示すボクセル値の設定値を記憶している。同定部５は、ボリュームデータの各ボクセルと当該設定値とを対比する。その結果、同定部５は塊部または血管を示すボクセルと、それ以外のボクセルとを判別することができる。さらに同定部５は、中心点ＣＰを含む塊部と、それに連なる派生血管とを抽出する。派生血管は塊部と輪郭が連続している血管である。
【００９７】
＜ステップ１１０＞
同定部５はＳ１０９において抽出した塊部に対し細線化処理を行う。その結果、抽出した派生血管領域の中心線を求める。
【００９８】
＜ステップ１１１＞
同定部５は、Ｓ１１０で求めた中心線に分岐があるかについて判断する。
【００９９】
＜ステップ１１２＞
同定部５は、Ｓ１１０で求めた中心線に分岐がないと判断した場合（Ｓ１１１１；Ｎｏ）、同定部５は派生血管領域の領域拡張および細線化処理を継続する。
【０１００】
＜ステップ１１３＞
同定部５は、Ｓ１２で求めた中心線に分岐があるかについて判断する。判断の結果、分岐がないと判断した場合、同定部５はＳ１１２〜Ｓ１１３の処理を繰り返す。
【０１０１】
Ｓ１１１またはＳ１１３の判断の結果、分岐があると判断した場合（Ｓ１１１；Ｙｅｓ/Ｓ１１３；Ｙｅｓ）、同定部５は第２の同定処理として派生血管の領域拡張および細線化処理を終了し、第２の同定処理を終了する。
【０１０２】
抽出部６は、抽出部６は受けた各座標情報に基づいてボリュームデータにおける対応するボクセルに、第１領域情報（塊部領域）および第２領域情報（派生血管領域）を対応付ける。さらに抽出部６は、同定部５に各種領域情報が対応付けられたボリュームデータを送る。同定部５は当該ボリュームデータを記憶する。
【０１０３】
抽出部６による上記処理が施されたボリュームデータに基づいて画像を表示する操作がなされた場合、画像処理部２は、当該ボリュームデータに対応付けられた第１領域情報の座標情報と第２領域情報の座標情報とに基づいて、塊部領域と派生血管領域とを特定する。画像処理部２は特定した各領域のボクセルに対し、あらかじめ設定された表示態様を割り当てる。
【０１０４】
なお、この変形例４において、細線化処理により派生血管を同定した後、塊部および派生血管、または派生血管のみを残し、それ以外のボクセルに高い透明度を割り当ててもよい。それによって、ボリュームデータにおいて塊部および派生血管以外、または派生血管以外のボクセルは実質的に削除される。
【０１０５】
また、この変形例４において、上記変形例１〜３を適用し、分岐があるかについての判断を行わず、所定条件に応じて細線化処理を終了してもよい。
【０１０６】
したがって、このような構成において、形状が複雑な対象であっても、ボリュームデータにおいて同定することが可能である。したがって、画像処理装置１０は、医用画像において同定した塊部および派生血管を示すことができ、これら対象物の視認性を向上させることが可能である。
【０１０７】
（制御部）
なお、上記第１実施形態およびその変形例１〜４にかかる画像処理装置１０は、図示しない主制御部を有する。主制御部は例えばＣＰＵ、ＲＯＭ、ＲＡＭ等で構成される。ＲＯＭには、あらかじめ制御プログラムが記憶され、ＣＰＵが当該制御プログラムを適宜ＲＡＭ上に展開することにより、主制御部として機能する。このようにして主制御部は、画像処理装置１０の各部を制御する。
【０１０８】
［第２実施形態］
次に、第２実施形態にかかる医用画像処理システムについて図１０を参照して説明する。図１０は、第２実施形態にかかる画像処理装置５０の概要を示す概略ブロック図である。なお、第１実施形態と共通の部分については同一の符号を付し、説明を割愛する。
【０１０９】
図１０に示すように画像処理装置５０は、表示部Ｄ、操作部Ｃ、取得部１、画像処理部２、表示制御部３、指定部４、同定部５、抽出部６、角度算出部７、選択部８および記憶部９を含んで構成される。以下、画像処理装置５０における角度算出部７、選択部８および記憶部９の構成とそれに伴う構成について説明する。なお以下においては、第２の同定処理が完了しているものとして説明する。さらに抽出部６がボリュームデータにおける、塊部領域のボクセルに第１領域情報を対応付ける処理、および派生血管領域のボクセルに第２領域情報を対応付ける処理を完了しているものとして説明する。
【０１１０】
（角度算出部）
角度算出部７は、抽出部６による処理後のボリュームデータを取得する。次に角度算出部７は、第１領域情報に基づき、ボリュームデータにおける塊部領域を特定する。また角度算出部７は第２領域情報に基づき派生血管領域を特定する。この後の角度算出部７の処理は、第１の例および第２の例において説明する。
【０１１１】
＜第１の例＞
次に角度算出部７は、塊部領域と派生血管領域との境界部分を特定する。また、角度算出部７は塊部領域と派生血管領域との輪郭抽出を行う。角度算出部７は、境界部分と抽出した輪郭に基づいて、塊部領域の輪郭と派生血管領域の輪郭とが連続する部分を特定する。次に角度算出部７は、境界部分と抽出した輪郭に基づいて、塊部領域の輪郭と派生血管領域の輪郭とが連続する部分を特定する。次に角度算出部７は、塊部領域と派生血管領域との境界部分の情報に基づいて派生血管領域の基部を特定する。さらに角度算出部７は細線化処理等により当該基部の突出方向を特定する。
【０１１２】
角度算出部７は、派生血管の基部の突出方向と、塊部とがなす角度を求める。角度算出部７は、この角度を塊部に対する派生血管の離脱角度として特定する。
【０１１３】
＜第２の例＞
第２の例として、角度算出部７の他の処理内容を説明する。角度算出部７は、塊部領域と各派生血管領域との境界部分をそれぞれ特定する。角度算出部７はその境界部分のいずれかのボクセルを派生血管領域の始端として特定する。また、角度算出部７は、派生血管領域の分岐、またはその他の条件（変形例１〜４等）により特定された点、もしくはユーザにより操作部Ｃを介して指定された点を派生血管領域の終端として特定する。
【０１１４】
また、角度算出部７は特定した始端と終端とを結ぶ線分を求める。さらに角度算出部７は、当該線分と、塊部とがなす角度を求める。角度算出部７は、この角度を塊部に対する派生血管の離脱角度として特定する。例えば当該線分と、塊部領域と派生血管領域との境界とがなす角度を離脱角度として特定する。
【０１１５】
（記憶部）
記憶部９は、離脱角度に対応する表示態様情報を記憶する。例えば記憶部９は、離脱角度を第１の範囲、第２の範囲…第ｎ番目の範囲というように複数の範囲に区分して記憶する。また、記憶部９は、この複数の範囲それぞれに対応して異なる表示態様を記憶している。異なる表示態様とは、第１実施形態において説明した態様と同様である。すなわち、表示色、透明度等である。なお、記憶部９は、ハードディスクドライブ（ＨＤＤ；Ｈａｒｄ Ｄｉｓｋ Ｄｒｉｖｅ）、Ｆｌａｓｈ ＳＳＤ（Ｓｏｌｉｄ Ｓｔａｔｅ Ｄｒｉｖｅ）、ＲＡＭ ＳＳＤ等により構成される。
【０１１６】
（選択部）
選択部８は、角度算出部７から、各派生血管（各血管の座標情報）と対応付けられた各派生血管領域の離脱角度の情報を受ける。また、選択部８は各派生血管領域ごとに、離脱角度の情報に基づいて記憶部９から表示態様の情報を取得する。選択部８は、取得した表示態様の情報を対応する各派生血管領域に対応付ける。例えば、ボクセル情報に表示態様の情報を対応付ける。選択部８は各派生血管領域のボクセルに表示態様の情報を対応付ける処理が完了すると、同定部５に処理済のボリュームデータを送る。なお、塊部領域に対し、選択部８の当該処理において割り当てていない表示態様を対応付けてもよい。
【０１１７】
（画像処理部；表示態様の変更処理）
次に、画像処理部２による塊部領域または派生血管領域の表示態様の変更処理について説明する。選択部８による上記処理が施されたボリュームデータに基づいて画像を表示する操作がなされた場合、画像処理部２は、当該ボリュームデータに対応付けられた各派生血管領域のボクセルの座標情報と、そのボクセルに対応付けられた表示態様情報に基づいて、各領域のボクセルに対し、あらかじめ設定された表示態様を割り当てる。
【０１１８】
あらかじめ設定された表示態様とは、例えば表示色である。すなわち、画像処理部２は、１の派生血管領域の表示色として赤色を割り当て、他の１の派生血管領域の表示色として青色を割り当てる。画像処理部２は、対応付けられた表示態様に応じて各派生血管領域のボクセル群の表示態様を変更していく。また、塊部領域に対し、いずれのボクセルにも割り当てていない異なる表示態様を割り当ててもよい。また、透明度によって、各部の表示態様を異ならせてもよく、表示色と透明度との組み合わせによって各部の表示態様を異ならせてもよい。さらに第１実施形態のように各派生血管領域および塊部領域の輪郭の表示態様を変更してもよく、表示色と透明度と輪郭の表示態様の組み合わせを異ならせてもよい。
【０１１９】
（画像処理装置の動作）
次に、第２実施形態にかかる画像処理装置５０の動作について、図１１および図１２を参照して説明する。図１１および図１２は、第２実施形態にかかる画像処理装置５０の動作の概略を示すフローチャートである。なお、以下においては、角度算出部７の離脱角度の算出については上記「第２の例」に基づいて説明する。
【０１２０】
＜ステップ２１＞
角度算出部７は、抽出部６による処理後のボリュームデータを取得する。
【０１２１】
＜ステップ２２＞
角度算出部７は、第１領域情報に基づき、ボリュームデータにおける塊部領域を特定する。また角度算出部７は第２領域情報に基づき派生血管領域を特定する。
【０１２２】
＜ステップ２３＞
角度算出部７は、塊部領域と各派生血管領域との境界部分をそれぞれ特定する。角度算出部７はその境界部分のいずれかのボクセルを派生血管領域の始端として特定する。また、角度算出部７は、派生血管領域の分岐の点等を派生血管領域の終端として特定する。
【０１２３】
＜ステップ２４＞
角度算出部７はＳ２３において特定した始端と終端とを結ぶ線分を求める。
【０１２４】
＜ステップ２５＞
角度算出部７は、Ｓ２４において求めた線分と、Ｓ２３において求めた塊部領域と派生血管領域との境界とがなす角度を離脱角度として特定する。
【０１２５】
＜ステップ２６＞
角度算出部７は、すべての派生血管について離脱角度を求めたかについて判断する。Ｓ２６の判断の結果、離脱角度を求めていない派生血管が残っている場合（Ｓ２６；Ｎｏ）、角度算出部７はＳ２３〜Ｓ２６の処理を繰り返す。
【０１２６】
＜ステップ２７＞
Ｓ２６の判断の結果、すべての派生血管について離脱角度を求めたと判断した場合（Ｓ２６；Ｙｅｓ）、選択部８は、角度算出部７から、各派生血管と対応付けられた各派生血管領域の離脱角度の情報を受ける。
【０１２７】
＜ステップ２８＞
選択部８は各派生血管領域ごとに、Ｓ２７で取得した離脱角度の情報に基づいて記憶部９から表示態様の情報を取得する。
【０１２８】
＜ステップ２８＞
選択部８は、Ｓ２８で取得した表示態様の情報を対応する各派生血管領域に対応付ける。
【０１２９】
＜ステップ３０＞
画像処理部２は、選択部８による上記処理が施されたボリュームデータに基づいて画像の表示指示にかかる操作があるか判断する。画像処理部２は、画像の表示指示にかかる操作を受けるまで（Ｓ２６；Ｎｏ）待機する。
【０１３０】
＜ステップ３１＞
画像処理部２は、画像の表示指示にかかる操作があると、当該ボリュームデータに対応付けられた各派生血管領域のボクセルの座標情報と、そのボクセルに対応付けられた表示態様情報に基づいて、各領域のボクセルに対し、あらかじめ設定された表示態様を割り当てる。
【０１３１】
（作用・効果）
以上説明した第２実施形態にかかる画像処理装置５０の作用および効果について説明する。
【０１３２】
本実施形態にかかる画像処理装置５０は、第１実施と同様に塊部および塊部から派生する血管を含むボリュームデータを取得する。また、画像処理装置５０はボリュームデータからボリュームレンダリング画像を生成する。また画像処理装置５０はボリュームレンダリング画像の指定点の入力を受ける。また、画像処理装置５０はボリュームレンダリング画像の指定点に基づき、ボリュームデータにおける塊部の中心点と仮定されるボクセル（またはボクセル群）を同定する。また画像処理装置５０は、当該中心点を開始点として領域拡張し、派生血管領域までを同定する。また、画像処理装置５０は、ボリュームデータにおける同定したボクセルに対し、塊部および派生血管であることを示す情報を対応付ける。
【０１３３】
このような構成によれば、腫瘍への栄養血管、ＡＶＭへの流入血管、動脈瘤のネックあるいはドームからの流出血管等のように、その形状が複雑な対象であっても、ボリュームデータにおいて同定することが可能である。したがって、画像処理装置５０は、医用画像において同定した塊部および派生血管を示すことができ、これら対象物の視認性を向上させることが可能である。
【０１３４】
さらに第２実施形態にかかる画像処理装置５０においては、同定されたボリュームデータにおける各派生血管領域の塊部からの離脱角度をそれぞれ求める。また、選択部８は離脱角度ごとの表示態様を記憶部９から取得し、各派生血管領域に割り当てる。画像処理部２は、各派生血管領域ついて、離脱角度ごとの異なる表示態様に変更する。また塊部についても異なる表示態様を割り当ててもよい。
【０１３５】
このような構成によれば、さらに塊部および派生血管を区別して明確に示すことができ、これら対象物の視認性を向上させることが可能である。
【０１３６】
（変形例Ａ）
次に、第２実施形態の変形例Ａについて説明する。上記第２実施形態においては、離脱角度の所定範囲ごとに表示態様が対応付けられている。しかしながら第２実施形態はこれに限られない。例えば、角度算出部７は、まず１の派生血管領域を特定する。この派生血管領域を第１の派生血管領域とする。また角度算出部７は第１の派生血管領域の塊部からの離脱角度を上記第２実施形態と同様に求める。この離脱角度を第１の離脱角度とする。
【０１３７】
次に角度算出部７は、第１の派生血管領域と異なる他の派生血管領域を特定する。この派生血管領域を第２の派生血管領域とする。また角度算出部７は第２の派生血管領域の塊部からの離脱角度を上記第２実施形態と同様に求める。この離脱角度を第２の離脱角度とする。同様に他の派生血管領域の離脱角度を求めていく。
【０１３８】
次に、選択部８は、角度算出部７から第１の離脱角度、第２の離脱角度．．．および第ｎ番目の離脱角度を受ける。また、選択部８は第１の離脱角度と第２の離脱角度とを対比する。あるいは、選択部８は、第１の離脱角度と第２の離脱角度との差を求める。さらに選択部８は、この対比結果、または差が設定された範囲内である場合に、第１の派生血管領域を塊部に対する流入血管として特定する。さらに角度算出部７は第２の血管領域を流出血管として特定する。選択部８はその他の派生血管領域の離脱角度についても同様の処理を行う。
【０１３９】
例えば、選択部８は、第１の離脱角度と第２の離脱角度との差が１８０°±１５°の範囲内であれば、一方の派生血管領域を流入血管として特定し、他方の派生血管領域を流出血管として特定する。すなわち実質的に逆方向へ向かう第１の派生血管領域と第２の派生血管領域とは、一方を動脈に連なる流入血管と判断可能であり、他方を静脈に連なる流出血管として判断可能なためである。なお、第１の派生血管領域および第２の派生血管領域は、それぞれ「第１の血管領域」または「第２の血管領域」の一例に該当する。
【０１４０】
画像処理部２は、流入血管として特定された各派生血管領域と、流出血管として特定された各派生血管領域との表示態様を異ならせる画像処理を行う。例えば画像処理部２は、流入血管の表示色を赤色とし、流出血管の表示色を青色に設定する。
【０１４１】
この変形例Ａにおいて、形状が複雑な対象であっても、ボリュームデータにおいて同定することが可能である。したがって、画像処理装置５０は、医用画像において同定した塊部および派生血管を示すことができ、これら対象物の視認性を向上させることが可能である。また、この変形例においては例えばＡＶＭのナイダスに対する流出血管と流入血管をユーザが明確に識別することが可能である。
【０１４２】
［第３実施形態］
次に、第３実施形態にかかる医用画像処理システムについて図１３を参照して説明する。なお、第１実施形態と共通の部分については説明を割愛する。なお、以下においては、第１の同定処理、第２の同定処理および表示態様の変更処理がなされた後の処理内容についてのみ説明する。
【０１４３】
図１３に示すように画像処理装置６０は、表示部Ｄ、操作部Ｃ、取得部１、画像処理部２、表示制御部３、指定部４、同定部５、抽出部６、ベクトル算出部７Ａ、選択部８Ａおよび記憶部９Ａを含んで構成される。以下、画像処理装置６０におけるベクトル算出部７Ａ、選択部８Ａおよび記憶部９の構成とそれに伴う構成について説明する。なお以下においては、第２の同定処理が完了しているものとして説明する。さらに抽出部６がボリュームデータにおける、塊部領域のボクセルに第１領域情報を対応付ける処理、および派生血管領域のボクセルに第２領域情報を対応付ける処理を完了しているものとして説明する。
【０１４４】
（同定部）
同定部５は、抽出部６による処理後のボリュームデータを取得する。次に同定部５は、第１領域情報と第２領域情報とに基づき、ボリュームデータにおける塊部領域と派生血管領域との分岐部（境界部分）を同定する。同定部５は、各派生血管領域ごとに当該分岐部の同定処理を行う。
【０１４５】
（ベクトル算出部）
ベクトル算出部７Ａは、第２領域情報に基づきボリュームデータにおける各派生血管領域を特定する。またベクトル算出部７Ａは、同定部５が同定した各分岐部において、分岐部に対する派生血管領域の進行方向のベクトルを求める。
【０１４６】
（記憶部）
記憶部９は、進行方向に対応する表示態様情報を記憶する。例えば記憶部９は、進行方向を第１の範囲、第２の範囲…第ｎ番目の範囲というように複数の範囲に区分して記憶する。また、記憶部９は、この複数の範囲それぞれに対応して異なる表示態様を記憶している。異なる表示態様とは、第１実施形態において説明した態様と同様である。すなわち、表示色、透明度等である。
【０１４７】
（選択部）
選択部８Ａは、ベクトル算出部７Ａから、各派生血管（各血管の座標情報）と対応付けられた進行方向のベクトルの情報を受ける。また、選択部８Ａは各派生血管領域ごとに、進行方向のベクトルの情報に基づいて記憶部９から表示態様の情報を取得する。選択部８Ａは、取得した表示態様の情報を対応する各派生血管領域に対応付ける。例えば、ボクセル情報に表示態様の情報を対応付ける。選択部８Ａは各派生血管領域のボクセルに表示態様の情報を対応付ける処理が完了すると、同定部５に処理済のボリュームデータを送る。なお、塊部領域に対し、選択部８Ａの当該処理において割り当てていない表示態様を対応付けてもよい。
【０１４８】
（画像処理部；表示態様の変更処理）
画像処理部２による塊部領域または派生血管領域の表示態様の変更処理については、第２実施形態と同様である。
【０１４９】
（作用・効果）
以上説明した第３実施形態にかかる画像処理装置６０の作用および効果について説明する。
【０１５０】
本実施形態にかかる画像処理装置６０は、第１実施と同様に塊部および塊部から派生する血管を含むボリュームデータを取得する。また、画像処理装置６０はボリュームデータからボリュームレンダリング画像を生成する。また画像処理装置６０はボリュームレンダリング画像の指定点の入力を受ける。また、画像処理装置６０はボリュームレンダリング画像の指定点に基づき、ボリュームデータにおける塊部の中心点と仮定されるボクセル（またはボクセル群）を同定する。また画像処理装置６０は、当該中心点を開始点として領域拡張し、派生血管領域までを同定する。また、画像処理装置６０は、ボリュームデータにおける同定したボクセルに対し、塊部および派生血管であることを示す情報を対応付ける。
【０１５１】
このような構成によれば、腫瘍への栄養血管、ＡＶＭへの流入血管、動脈瘤のネックあるいはドームからの流出血管等のように、その形状が複雑な対象であっても、ボリュームデータにおいて同定することが可能である。したがって、画像処理装置６０は、医用画像において同定した塊部および派生血管を示すことができ、これら対象物の視認性を向上させることが可能である。
【０１５２】
さらに第３実施形態にかかる画像処理装置６０においては、同定されたボリュームデータにおける各派生血管領域の塊部からの進行方向のベクトルをそれぞれ求める。また、選択部８Ａは進行方向のベクトルごとの表示態様を記憶部９から取得し、各派生血管領域に割り当てる。画像処理部２は、各派生血管領域ついて、離脱角度ごとの異なる表示態様に変更する。また塊部についても異なる表示態様を割り当ててもよい。
【０１５３】
このような構成によれば、表示態様を異ならせることで派生血管を分類して表示することが可能である。例えば、ＡＶＭの画像を呈示するときに、流入血管と流出血管を区別して明確に示すことができる。すなわちＡＶＭでは、流入血管と流出血管とがほぼ１８０°異なる場合があり、進行方向のベクトルを求めることにより、これらを明確に区別することができる。
【０１５４】
［第４実施形態］
次に、第４実施形態にかかる医用画像処理システムについて説明する。なお、第１実施形態と共通の部分については説明を割愛する。なお、以下においては、第１の同定処理、第２の同定処理および表示態様の変更処理がなされた後の処理内容についてのみ説明する。
【０１５５】
Ｘ線Ａｎｇｉｏ装置において、Ｘ線透視画像を収集する前に、ユーザにより３次元ロードマップボタンが押されると、Ｘ線Ａｎｇｉｏ装置における制御部は、Ｘ線透視画像に重ね合わせる画像を選択するための画面を当該装置の表示部に表示する。選択画面においてユーザは、重ね合わせるボリュームデータを選択する。
【０１５６】
ボリュームデータは、３次元ＤＳＡ画像、３次元ＤＡ画像、ＣＴＡ画像、ＭＲＡ画像等がある。選択を受けてＸ線Ａｎｇｉｏ装置は、画像処理装置１０（または画像処理装置５０もしくは画像処理装置６０；以下同じ）にボリュームデータの取得要求を行う。
【０１５７】
画像処理装置１０は、取得要求にかかる患者ＩＤまたは検査ＩＤに対応付けられたボリュームデータをＸ線Ａｎｇｉｏ装置に送る。このボリュームデータは上記第１実施形態または第２実施形態もしくはこれらの変形例によって、表示態様の変更処理がなされたデータである。
【０１５８】
この時点でＸ線Ａｎｇｉｏ装置は、ボリュームデータに対応付けられた塊部領域の座標情報および派生血管領域の座標情報に基づいて、塊部領域と派生血管領域とを抽出してもよい。例えば塊部領域と派生血管領域以外の透明度が１００％として設定される。
【０１５９】
また、Ｘ線Ａｎｇｉｏ装置は制御部等により、塊部領域と派生血管領域とが抽出されたボリュームデータに基づいて画像処理がなされる。画像処理としては、最大値投影処理、最小値投影処理、平均値投影処理等の画素値投影処理もしくはＭＰＲ処理やボリュームレンダリング処理、サーフェスレンダリング処理等が挙げられる。この画像処理によりＸ線Ａｎｇｉｏ装置において指定された角度に関する２次元画像のデータが生成される。指定された角度とは、後述の合成画像の生成において適切な観察角度である。
【０１６０】
Ｘ線Ａｎｇｉｏ装置において、Ｘ線透視画像を収集する指示がなされると、Ｘ線Ａｎｇｉｏ装置の制御部は、撮影機構を制御してＸ線透視画像のデータを収集する。この収集は、カテーテル術（塞栓術）中に、継続的または断続的に行なわれる。収集されたＸ線透視画像のデータは、Ｘ線Ａｎｇｉｏ装置の記憶部に記憶される。
【０１６１】
Ｘ線透視画像の収集が始まり、ユーザにより３次元ロードマップボタンが入力されると、当該制御部は、指定された角度に関する２次元画像のデータを読み出す。この画像では、塊部領域および派生血管領域と他の部分と表示態様が異なる。あるいは塊部領域と派生血管領域とが抽出されている。この画像を以下、ロードマップ画像として説明する。
【０１６２】
Ｘ線Ａｎｇｉｏ装置の画像合成部は、ロードマップ画像とＸ線透視画像とにおける解剖学的な位置が略一致するように、あらかじめ位置ずれ量計算部により算出された位置ずれ量に従って位置整合して合成される。これにより合成画像のデータが生成される。この合成画像は、表示部に表示される。また、合成画像においてはＸ線透視画像に由来するガイドワイヤ領域（またはカテーテル領域）が含まれている場合がある。なお、当該表示部は「合成画像表示部」の一例に該当する。
【０１６３】
このように合成画像において、塊部領域および派生血管領域と他の部分と表示態様が異なるように構成されているので、カテーテルが目的の血管に入ったのか、それとも別の血管に入ってしまったのかを容易に判断できる。
【０１６４】
なおＸ線透視画像の収集中に、Ｘ線Ａｎｇｉｏ装置の撮影機構のＣアームの撮影角度が変更される場合がある。このように撮影角度が変更された場合、ボリュームデータに基づいて変更後の撮影角度に略一致するロードマップ画像のデータが生成される。さらに、制御部等によりロードマップ画像とＸ線透視画像との合成画像が生成され表示される。このようにＣアームの撮影角度が変更された場合にも、変更後の撮影角度に応じたロードマップ画像とＸ線透視画像とを合成表示することができる。
【０１６５】
（作用・効果）
以上説明した第４実施形態にかかる医用画像処理システムの作用および効果について説明する。
【０１６６】
本実施形態にかかる医用画像処理システムは、第１実施と同様に塊部および塊部から派生する血管を含むボリュームデータを取得する。また、画像処理装置はボリュームデータからボリュームレンダリング画像を生成する。また画像処理装置はボリュームレンダリング画像の指定点の入力を受ける。また、画像処理装置はボリュームレンダリング画像の指定点に基づき、ボリュームデータにおける塊部の中心点と仮定されるボクセル（またはボクセル群）を同定する。また画像処理装置は、当該中心点を開始点として領域拡張し、派生血管領域までを同定する。また、画像処理装置は、ボリュームデータにおける同定したボクセルに対し、塊部および派生血管であることを示す情報を対応付ける。
【０１６７】
このような構成によれば、腫瘍への栄養血管、ＡＶＭへの流入血管、動脈瘤のネックあるいはドームからの流出血管等のように、その形状が複雑な対象であっても、ボリュームデータにおいて同定することが可能である。したがって、画像処理装置は、医用画像において同定した塊部および派生血管を示すことができ、これら対象物の視認性を向上させることが可能である。
【０１６８】
上記第１〜第４実施形態およびその変形例にかかる画像処理装置は、形状が複雑な対象であっても、ボリュームデータにおいて同定することが可能である。したがって、画像処理装置は、医用画像において同定した塊部および派生血管を示すことができ、これら対象物の視認性を向上させることが可能である。
【０１６９】
また、上記第１〜第４実施形態およびその変形例は、適宜組み合わせて構成することが可能である。また画像取得装置と医用画像処理装置は一体の装置であってもよい。この場合、画像処理装置１０または画像処理装置５０の各部のほかに、被検体をスキャンすることにより、被検体内の塊部および派生血管を含む３次元領域の状態を示す検出データを取得するスキャン部が含まれる。また、検出データに基づいてボリュームデータを生成するボリュームデータ生成部が含まれる。また、画像取得装置と画像処理装置１０または画像処理装置５０の表示部とは共通となる。このような画像取得装置と医用画像処理装置とが一体となった装置は、「医用画像診断装置」の一例に該当する。
【０１７０】
この発明の実施形態を説明したが、上記の実施形態は例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１７１】
１              取得部
２              画像処理部
３              表示制御部
４              指定部
５              同定部
６              抽出部
７              角度算出部
７Ａ            ベクトル算出部
８、８Ａ        選択部
９              記憶部
１０,５０,６０  画像処理装置
２０Ａ〜ｎ      画像取得装置
３０            画像保管装置
Ｃ              操作部
ＣＰ            中心点
Ｄ              表示部
【図１】
2014198099.tif 000003
【図２】
2014198099.tif 000004
【図３】
2014198099.tif 000005
【図４Ａ】
2014198099.tif 000006
【図４Ｂ】
2014198099.tif 000007
【図５】
2014198099.tif 000008
【図６】
2014198099.tif 000009
【図７】
2014198099.tif 000010
【図８】
2014198099.tif 000011
【図９】
2014198099.tif 000012
【図１０】
2014198099.tif 000013
【図１１】
2014198099.tif 000014
【図１２】
2014198099.tif 000015
【図１３】
2014198099.tif 000016